(57)【特許請求の範囲】
【請求項１】
照明デバイスを設置する場合にウェアラブルデバイスにより該照明デバイスをコミッショニングするためのシステムであって、当該システムは、
検出ユニットを有するウェアラブルデバイスであって、前記検出ユニットは、該ウェアラブルデバイスのコンテキスト情報を検出するよう構成され、前記コンテキスト情報は、該ウェアラブルデバイスの向き及び／又は動きを示す、ウェアラブルデバイス、
照明デバイスの識別子を受けるよう構成されるレシーバ、
前記ウェアラブルデバイスの検出された前記コンテキスト情報に基づいて照明デバイスの少なくとも１つの設置特性を決定し、該少なくとも１つの設置特性を前記識別子に関連付けるよう構成されるプロセッサ、及び
前記少なくとも１つの設置特性及び前記識別子を格納するよう構成されるメモリ、
を有し、
前記ウェアラブルデバイスは、照明デバイスを設置するユーザの前腕、手首、手及び指を含む群のうちの少なくとも１つに付けられるよう構成される、システム。
【請求項２】
当該システムは、位置決めシステムを有し、前記ウェアラブルデバイスは、前記位置決めシステムから位置情報を受けるよう構成され、前記プロセッサは、受けた前記位置情報に基づいて前記コンテキスト情報として照明デバイスのロケーションを決定するよう構成される、請求項１に記載のシステム。
【請求項３】
前記ウェアラブルデバイスの前記検出ユニットは、照明デバイスの垂直方向のロケーションを決定するための高度検出器を有し、前記プロセッサは、前記垂直方向のロケーションに基づいて前記少なくとも１つの設置特性を決定するよう構成される、請求項１又は２に記載のシステム。
【請求項４】
前記プロセッサは、前記少なくとも１つの設置特性に基づいて照明デバイスのタイプを決定するよう構成される、請求項１乃至３の何れか一項に記載のシステム。
【請求項５】
前記プロセッサは、前記ウェアラブルデバイスのコミッショニングモードをアクティブ及び非アクティブにするよう構成され、前記コミッショニングモードは、前記プロセッサが、前記ウェアラブルデバイスの検出された前記コンテキスト情報に基づいて照明デバイスの前記少なくとも１つの設置特性を決定するよう設定される動作モードであって、前記プロセッサが、前記少なくとも１つの設置特性を前記識別子に関連付けるよう設定される動作モードである、請求項１乃至４の何れか一項に記載のシステム。
【請求項６】
前記プロセッサは、前記検出ユニットにより検出される前記ウェアラブルデバイスの前記コンテキスト情報に基づいて前記コミッショニングモードをアクティブ及び／又は非アクティブにするよう構成される、請求項５に記載のシステム。
【請求項７】
当該システムは、ユーザ入力を受けるよう構成されるユーザインタフェースを有し、前記プロセッサは、第１のユーザ入力に基づいて前記コミッショニングモードをアクティブにし、前記プロセッサは、第２のユーザ入力に基づいて前記コミッショニングモードを非アクティブにするよう構成される、請求項５又は６に記載のシステム。
【請求項８】
前記レシーバは、電子信号、符号化光信号、無線信号及びサウンド信号を含む群のうちの少なくとも１つを介して照明デバイスから該照明デバイスの前記識別子を受けるよう構成される、請求項１乃至７の何れか一項に記載のシステム。
【請求項９】
照明デバイスを設置する場合にウェアラブルデバイスにより該照明デバイスをコミッショニングする方法であって、前記ウェアラブルデバイスは、照明デバイスを設置するユーザの前腕、手首、手及び指を含む群のうちの少なくとも１つに付けられるよう構成され、当該方法は、
照明デバイスの識別子を受けるステップ、
前記ウェアラブルデバイスのコンテキスト情報を検出するステップであって、前記コンテキスト情報は、該ウェアラブルデバイスの向き及び／又は動きを示す、ステップ、
前記ウェアラブルデバイスの検出された前記コンテキスト情報に基づいて照明デバイスの少なくとも１つの設置特性を決定するステップ、
前記少なくとも１つの設置特性を前記識別子に関連付けるステップ、及び
前記少なくとも１つの設置特性及び前記識別子を格納するステップ、
を含む、方法。
【請求項１０】
第１の照明デバイス及び第２の照明デバイスが類似の設置特性を持つ場合該第１の照明デバイスを該第２の照明デバイスとグループ化するステップ、を含む、請求項９に記載の方法。
【請求項１１】
コンピューティングデバイスのためのコンピュータプログラムであって、当該コンピュータプログラムが前記コンピューティングデバイスの処理ユニットで実行された場合請求項９又は１０に記載の方法を実行させるコンピュータプログラムコードを含む、コンピュータプログラム。
【発明の詳細な説明】
【技術分野】
【０００１】
本発明は、照明デバイスをコミッショニングするためのシステム及び方法に関する。本発明はさらに前記システムで用いるウェアラブルデバイスに関する。本発明はさらに、前記方法を実行するためのコンピュータプログラムプロダクトに関する。
【背景技術】
【０００２】
将来及び現在の家庭及び職場(professional)環境は、アンビエント照明、雰囲気(atmosphere)照明、アクセント照明又は作業照明を生成するための多数の制御可能な照明デバイスを含むであろう。ひとたびこれら照明デバイスが設置されると、照明システムは、各物理的な照明デバイスを部屋、ロケーション(location)又は照明デバイスのタイプと関連付けるためコミッショニングされる必要がある。照明システムは、これら照明デバイスの情報（例えば、位置情報）を集める。照明システムは、この情報を制御ネットワークを介して制御デバイスに通信し、照明デバイスに関する所要の情報を該制御デバイスに提供してもよい。米国特許出願公開第US 20090066473 A1号公報は、設置プラン(installation plan)に従ってデバイスをコミッショニングするための方法及び装置を開示する。各デバイスの空間位置がマッピングされ、ビルディングサービスプランと比較され、これにより、デバイスの空間分布のマップを得る。
【０００３】
国際特許出願公開第WO 2015022650 A1号公報は、モバイルコンピューティングデバイスであって、当該モバイルコンピューティングデバイスの光センサにより検知される照明効果についての所望の照明特性の調整(adjustment)を示すユーザ入力を受けるモバイルコンピューティングデバイスに関する。モバイルコンピューティングデバイスは、検知される照明効果に貢献する１つ以上のＬＥＤベースの照明ユニットを識別する。次いで、モバイルコンピューティングデバイスは、貢献する１つ以上のＬＥＤベースの照明ユニットへの無線送信のため、該１つ以上のＬＥＤベースの照明ユニットに前記所望の照明特性の調整を実施させるよう構成される命令を生成する。照明特性の調整用のユーザ入力は、モバイルコンピューティングデバイス内のセンサにより検出される動き(movement)に基づいてもよい。照明特性の調整用のユーザ入力はまた、環境キュー(environmental cue)（例えば、ロケーション）に基づいてトリガされてもよい。斯かるユーザ入力センサは、モバイルコンピューティングデバイスに接続されるウェアラブルデバイスに位置してもよい。モバイルコンピューティングデバイスはまた、例えば照明ユニットから受ける符号化光信号(coded light signal)に基づいて、照明ユニットをコミッショニングしてもよい。符号化光信号は、照明ユニットのロケーションを含んでもよく、照明ユニットのロケーションは、モバイルコンピューティングデバイスのロケーションに基づいて決定されてもよい。
【発明の概要】
【発明が解決しようとする課題】
【０００４】
本発明の目的は、照明デバイスが設置されるコンテキスト(context)に基づく照明デバイスの先進的なコミッショニングを可能にするシステム、ウェアラブルデバイス、方法及びコンピュータプログラムプロダクトを提供することにある。
【課題を解決するための手段】
【０００５】
本発明の第１の態様によれば、本発明の目的は、照明デバイスを設置する場合にウェアラブルデバイスにより照明デバイスをコミッショニングするためのシステムであって、
−  検出ユニットを有するウェアラブルデバイス(wearable device)であって、検出ユニットは、ウェアラブルデバイスのコンテキスト情報(contextual information)を検出するよう構成され、コンテキスト情報は、ウェアラブルデバイスの向き及び／又は動きを示す、ウェアラブルデバイス、
−  照明デバイスの識別子を受けるよう構成されるレシーバ、
−  ウェアラブルデバイスの検出されたコンテキスト情報に基づいて照明デバイスの少なくとも１つの設置特性(installation characteristic)を決定し、少なくとも１つの設置特性を識別子に関連付けるよう構成されるプロセッサ、及び
−  少なくとも１つの設置特性及び識別子を格納するよう構成されるメモリ、
を有する、システムにより達成される。
【０００６】
本発明のシステムは、ウェアラブルデバイスのコンテキストに関連した状態(context-related condition)を検出することにより照明デバイスのコンテキストに関連した状態を検出することができるという利点を提供する。照明デバイスのコミッショニングが完了すると、コンテキストに関連した情報は、識別子と共にメモリに格納され、照明デバイスは、制御される準備が整う。メモリは、当該システム又は他のシステム若しくはデバイスが、当該システムを介してコミッショニングされた全ての照明デバイスについての格納された情報にアクセスし、取出すことを可能にする。今日多くの入手可能なウェアラブルコンシューマデバイスは、１つ以上のセンサを既に備えている。このことは、これら組込まれているセンサが、コンテキスト情報を検出するために用いられ得るため有利である。このシステムの利点は、当該システムが、自動的に照明デバイスの情報を検出し、格納するため、コミッショニングをするユーザは、手動で照明デバイスについての情報を提供する必要が最早無いという点にある。
【０００７】
検出ユニットは、ウェアラブルデバイスのコンテキスト情報を検出するよう構成される。コンテキスト情報は、照明デバイスが設置されるコンテキストに関連付けられ、検出ユニットは、当該コンテキストを特定するため前記コンテキスト情報を検出する。例えば、検出ユニットは、照明デバイスを設置する際ウェアラブルデバイスのロケーション、向き、動き、高さ、光条件、温度、壁、天井及び／又は床までの距離等を検出してもよい。
【０００８】
プロセッサは、ウェアラブルデバイスの検出されたコンテキスト情報に基づいて照明デバイスの少なくとも１つの設置特性を決定するよう構成される。ゆえに、各設置特性は、検出ユニットにより検出されたコンテキスト情報から導出される。照明デバイスの設置特性の例は、例えば、照明デバイスの高さ、傾き、向き及び位置であってもよい。
【０００９】
本発明のシステムの一実施形態において、ウェアラブルデバイスは、照明デバイスを設置するユーザの前腕、手首、手及び指を含む群のうちの少なくとも１つに付けられるよう構成される。照明デバイスの設置は、手で行われることがよくある。ゆえに、前腕、手首、手又は指にウェアラブルデバイスを付けることは、ウェアラブルデバイスが、照明デバイスを設定する人の手の直ぐそばにあろうという利点を提供する。斯くして、ウェアラブルデバイスのコンテキスト情報は、照明デバイスのコンテキスト情報により密接に対応する。これは、プロセッサが、照明デバイスの少なくとも１つの設置特性を正確に決定することを可能にする。
【００１０】
本発明のシステムの一実施形態において、検出ユニットは、コンテキスト情報としてウェアラブルデバイスの向きを検出するよう構成され、プロセッサは、ウェアラブルデバイスの向きに基づいて照明デバイスの少なくとも１つの設置特性を決定するよう構成される。照明デバイスの設置中にウェアラブルデバイスの向きを決定することは、プロセッサが、該照明デバイスの向きを決定することを可能にするため有利である。照明デバイスの設置中のウェアラブルデバイスの向きは、例えば、垂直方向（上向き／下向き）であってもよい。これは、プロセッサが、照明デバイスは、例えば、天井（上向き）に設定されるのか、床（下向き）に設置されるのか決定することを可能にする。照明デバイスの識別子に関連付けられるこの設置特性は、プロセッサによりメモリに格納されてもよい。
【００１１】
付加的に又は代替的に、検出ユニットは、ウェアラブルデバイスの動きを検出するよう構成され、プロセッサは、ウェアラブルデバイスの動きに基づいて照明デバイスの少なくとも１つの設置特性を決定するよう構成される。照明デバイスの設置中にウェアラブルデバイスの動きを決定することは、プロセッサが、どのように照明デバイスが設定されるのか決定することを可能にするため有利である。検出ユニットは、例えば、ウェアラブルデバイスの動きを決定し、この動きを特定の照明デバイスに関連付けてもよい。例えば、検出ユニットは、照明デバイスを設定する際のウェアラブルデバイスの回転数を検出してもよい。これは、プロセッサが、設置された照明デバイスは、例えば、電球である（蛍光管、ＬＥＤストリップ又はＴＬＥＤではない）と推測することを可能にする。照明デバイスの識別子に関連付けられるこの設置特性は、プロセッサによりメモリに格納されてもよい。
【００１２】
本発明のシステムの一実施形態において、当該システムは、位置決めシステムを有する。ウェアラブルデバイスは、位置決めシステムから位置情報を受けるよう構成され、プロセッサは、受けた位置情報に基づいて少なくとも１つの設置特性を決定するよう構成される。ウェアラブルデバイスのロケーションを決定すること、それにより、照明デバイスのロケーションを決定することは、当該システム又は他のシステム若しくはデバイスが、照明デバイスをそのロケーションに基づいて制御することを可能にするため有利である。この実施形態の他の利点は、複数の照明デバイスが設置される場合、システムが、複数の照明デバイスのマップを生成できることであり、該マップは、例えば、ビルディングマネージメントプランに関連付けられてもよい。
【００１３】
付加的に、ウェアラブルデバイスの検出ユニットは、照明デバイスの垂直方向のロケーションを決定するための高度検出器（例えば、高度センサ）を有し、プロセッサは、垂直方向のロケーションに基づいて少なくとも１つの設置特性を決定するよう構成される。これは、プロセッサが、例えば、照明デバイスの機能をその高さに基づいて決定できるため有利である（例えば、天井レベルにある照明デバイスは、床レベルにある照明デバイスと異なる機能性を持つかもしれない）。
【００１４】
本発明のシステムの一実施形態において、プロセッサは、少なくとも１つの設置特性に基づいて照明デバイスのタイプを決定するよう構成される。少なくとも１つの設置特性に基づき、プロセッサは、照明デバイスが、例えば、電球、ＴＬＥＤ、占有センサ、マイクロフォン等であると決定してもよい。この情報は、後で参照できるようにメモリに格納されてもよい。これは、システム又は他のデバイスが、この情報を取出すことを可能にするため有利である。システム又は他のデバイスは、この情報を、例えば、照明デバイスの制御オプションを決定するために用いてもよい。
【００１５】
本発明のシステムの一実施形態において、プロセッサは、ウェアラブルデバイスのコミッショニングモードをアクティブ及び非アクティブにするよう構成される。コミッショニングモードは、プロセッサが、ウェアラブルデバイスの検出されたコンテキスト情報に基づいて照明デバイスの少なくとも１つの設置特性を決定するよう設定される動作モードであって、プロセッサが、少なくとも１つの設置特性を識別子に関連付けるよう設定される動作モードである。設置中にコミッショニングモードに入る／コミッショニングモードを出ることは有利である。なぜなら、システムが、照明デバイスを区別することを可能にするからである（コミッショニングモードは、例えば、２つの照明デバイスのコミッショニングの間にオフ及びオンがなされてもよい）。さらに、システムが、いつ検出ユニットを介してコンテキスト情報を検出すべきか、及び照明デバイスから識別子を受信すべきか決定することを可能にし、この結果、少なくとも１つの設置特性は、正しい照明デバイスに関連付けられる。
【００１６】
本発明のシステムの他の実施形態において、プロセッサは、検出ユニットにより検出されるウェアラブルデバイスのコンテキスト情報に基づいてコミッショニングモードをアクティブ及び／又は非アクティブにするよう構成される。ウェアラブルデバイスの特定のコンテキスト情報（例えば、ウェアラブルデバイスの特定の動き、向き又はロケーション）の検出により、コミッショニングモードのアクティベーションが自動的になされてもよい。人が照明デバイスを設置／コミッショニングしようとしていることを自動的に検出することは、意図的なユーザ入力が、コミッショニングモードをアクティブにするため必要とされないという利点を提供する。コミッショニングモードが完了した後（すなわち、照明デバイスの少なくとも１つの設置特性を決定し、照明デバイスから識別子を受けた後）、プロセッサは、ウェアラブルデバイスの特定のコンテキスト情報に基づいて、コミッショニングモードは成功裏に終わったと決定し、これにより、コミッショニングモードを非アクティブにする判断をし、少なくとも１つの設置特性及び照明デバイスの識別子をメモリに格納してもよい。
【００１７】
本発明のシステムの付加的な又は代替的な実施形態において、当該システムは、ユーザ入力を受けるよう構成されるユーザインタフェースを有する。プロセッサは、第１のユーザ入力に基づいてコミッショニングモードをアクティブにし、プロセッサは、第２のユーザ入力に基づいてコミッショニングモードを非アクティブにするよう構成される。コミッショニングモードをアクティブ又は非アクティブにするための意図的なユーザ入力の利点は、コミッショニングを行うユーザにより制御権を与えることである。さらに、ユーザが、自動的にアクティブ／非アクティブにされるコミッショニングモードを却下する(overrule)ことを可能にできるであろう。
【００１８】
本発明のシステムの一実施形態において、レシーバは、電子信号、光信号、無線信号及びサウンド信号を含む群のうちの少なくとも１つを介して照明デバイスから該照明デバイスの識別子を受けるよう構成される。受ける信号は、電子信号であってもよく、これは、レシーバが照明デバイスに物理的に結合される実施形態において有利であろう。レシーバがカメラ又は光センサを有する実施形態において、レシーバは、照明デバイスの識別子を含む符号化光信号を介して識別子を受けてもよい。この実施形態は、今日多くのコンシューマ照明デバイスが、符号化光信号を発するよう既に構成され、これにより、照明デバイス及びレシーバ間の通信を単純にできるため有利であろう。他の実施形態において、レシーバは、無線信号を介して識別子を受信するよう構成されてもよい。無線信号を用いる利点は、多くのウェアラブルコンシューマデバイス及び照明デバイスが、（例えば、Ｗｉ−Ｆｉ、Ｂｌｕｅｔｏｏｔｈ、ＮＦＣ、Ｚｉｇｂｅｅ等を介した）無線通信のために構成されていることである。付加的な又は代替的な実施形態において、レシーバは、照明デバイスから識別子を含むサウンド信号を受けるよう構成される。サウンド信号は、照明デバイスのオーディオ出力エレメントにより生成されてもよく、又は照明デバイス及びその器具間の物理的接続が、識別子を含むサウンドを発してもよく、又は照明デバイス及びその器具間の物理的接続が、照明デバイスのタイプを含むサウンドを発してもよい（例えば、占有センサをソケットに挿入することにより、識別可能なサウンドが発せられてもよい）。
【００１９】
本発明の第２の態様によれば、本発明の目的は、上述した実施形態のうちの何れかのシステムで用いるウェアラブルデバイスにより達成される。当該ウェアラブルデバイスは、ウェアラブルデバイスの向き及び／又は動きを検出する検出ユニットを有し、当該ウェアラブルデバイスは、向き及び／又は動きをシステムのプロセッサに通信するよう構成される。ウェアラブルデバイスは、上述した実施形態のうちの何れかのレシーバを有してもよい。付加的に又は代替的に、ウェアラブルデバイスは、上述した実施形態のうちの何れかのプロセッサを有してもよい。付加的に又は代替的に、ウェアラブルデバイスは、上述した実施形態のうちの何れかのメモリを有してもよい。今日多くのウェアラブルコンシューマデバイスは、検知手段、通信手段、処理手段及び／又は記憶手段を既に備えている。斯くして、既存のウェアラブルデバイスのコンポーネントを用いることは、ハードウェアを最大限利用するため有利である。
【００２０】
本発明の第３の態様によれば、本発明の目的は、照明デバイスを設置する場合にウェアラブルデバイスにより照明デバイスをコミッショニングする方法により達成される。当該方法は、
−  照明デバイスの識別子を受けるステップ、
−  ウェアラブルデバイスのコンテキスト情報を検出するステップであって、コンテキスト情報は、ウェアラブルデバイスの向き及び／又は動きを示す、ステップ、
−  ウェアラブルデバイスの検出されたコンテキスト情報に基づいて照明デバイスの少なくとも１つの設置特性を決定するステップ、
−  少なくとも１つの設置特性を識別子に関連付けるステップ、及び
−  少なくとも１つの設置特性及び識別子を格納するステップ、
を含む。
【００２１】
本発明の方法の一実施形態において、当該方法は、第１の照明デバイス及び第２の照明デバイスが類似の設置特性を持つ場合該第１の照明デバイスを該第２の照明デバイスとグループ化するステップを含む。照明デバイスを自動的にグループ化する利点は、システム又は他のデバイスが、後で複数のランプ（例えば、１つの照明器具にある３つのランプ）を同時に制御することを可能にすることである。
【００２２】
本発明の第４の態様によれば、本発明の目的は、コンピュータプログラムにより達成される。当該コンピュータプログラムは、該コンピュータプログラムがコンピューティングデバイスの処理ユニット、例えば、システムの処理ユニット又はウェアラブルデバイスの処理ユニットで実行された場合上述した実施形態のうちの何れかの発明又は機能性による何れかの方法を実行させるコンピュータプログラムコードを含む。
【図面の簡単な説明】
【００２３】
開示されたシステム、デバイス、方法及びコンピュータプログラムの上述した及び付加的な目的、特徴及び利点は、添付の図面を参照した、以下のシステム、デバイス及び方法の実施形態の例示的且つ非限定的に詳述される記載からより理解されるであろう。
【図１】ウェアラブルデバイスにより照明デバイスをコミッショニングするための本発明によるシステムの一実施形態を概略的に示す。
【図２】照明デバイスをコミッショニングするための本発明によるウェアラブルデバイスの一実施形態を概略的に示す。
【図３】電球タイプの照明デバイスをコミッショニングするための本発明による手首に付けられたウェアラブルデバイスの一実施形態を概略的に示す。
【図４】管タイプの照明デバイスをコミッショニングするための本発明による指に付けられたウェアラブルデバイスの一実施形態を概略的に示す。
【図５】ウェアラブルデバイスにより照明デバイスをコミッショニングするための本発明によるシステムであって、位置決めシステムをさらに有するシステムの一実施形態を概略的に示す。
【図６】ウェアラブルデバイスにより照明デバイスをコミッショニングする方法を概略的且つ例示的に示す。  図面は全て、概略的であり、必ずしも縮尺通りではなく、本発明を説明するために必要な部分しか概して示していない。他の部分は、省略されているか、単に示唆されている可能性がある。
【発明を実施するための形態】
【００２４】
図１は、照明デバイス１２０を設置する場合にウェアラブルデバイス１０２により照明デバイス１２０をコミッショニングするための本発明によるシステム１００の一実施形態を概略的に示す。システム１００は、検出ユニット１０４を有するウェアラブルデバイス１０２を有する。検出ユニット１０４、ウェアラブルデバイス１０２のコンテキスト情報を検出するよう構成される。コンテキスト情報は、ウェアラブルデバイスの向き及び／又は動きを示す。システム１００はさらに、照明デバイス１２０の識別子を受けるよう構成されるレシーバ１０６を有する。システム１００はさらに、ウェアラブルデバイス１０２の検出されたコンテキスト情報に基づいて照明デバイス１２０の少なくとも１つの設置特性を決定し、少なくとも１つの設置特性を識別子に関連付けるよう構成されるプロセッサ１０８を有する。システム１００はまた、少なくとも１つの設置特性及び識別子を格納するよう構成されるメモリ１１０を有する。少なくとも１つの設置特性を格納すると、照明デバイス１２０は、照明デバイス１２０に接続される任意のタイプの制御デバイスにより制御される準備が整ってもよい。ウェアラブルデバイス１０２、レシーバ１０６、プロセッサ１０８及びメモリ１１０は、任意の種類の通信技術による相互接続されてもよい。当業界で知られている種々の有線及び無線通信技術、例えば、Ｅｔｈｅｒｎｅｔ、ＤＭＸ、ＤＡＬＩ、Ｂｌｕｅｔｏｏｔｈ、Ｗｉ−Ｆｉ又はＺｉｇｂｅｅが用いられてもよい。特定の通信技術は、プロセッサ１０８通信能力、照明デバイス１２０のタイプ、ウェアラブルデバイス１０２等のタイプ、（無線）通信技術のための通信ドライバの電力消費及び／又は信号の通信範囲に基づいて選択されてもよい。
【００２５】
ウェアラブルデバイス１０２は、任意の適当なウェアラブルデバイス１０２であってもよい。ウェアラブルデバイス１０２のタイプ（例えば、ブレスレット、指輪、眼鏡、手袋、ペンダント等）は、ウェアラブルデバイス１０２が用いられるコンテキストに関連して選択されてもよい。ウェアラブルデバイス１０２は、ウェアラブルデバイス１０２のコンテキスト情報（例えば、向き、ロケーション、動き等）を検出するよう構成される検出ユニット１０４を有する。システム１００のプロセッサ１０８はさらに、検出ユニット１０４により検出されたコンテキスト情報を翻訳(translate)し、コンテキスト情報に基づき照明デバイス１２０の少なくとも１つの設置特性（例えば、ロケーション、向き、照明デバイス１２０のタイプ等）決定する。ウェアラブルデバイス１０２はさらに、ウェアラブルデバイス１０２の異なる構成要素に給電するためのバッテリ（図示せず）を有してもよい。
【００２６】
照明デバイス１２０は、光を発するよう構成されてもよい。照明デバイス１２０は、光を発するよう構成される光源を有してもよい。照明デバイス１２０は、ＬＥＤバルブ、ＬＥＤストリップ、ＴＬＥＤ、Ｐｈｉｌｉｐｓ Ｈｕｅランプ、白熱ランプ、蛍光ランプ、高輝度放電ランプ等であってもよい。照明デバイス１２０は、作業照明、アンビエント照明、雰囲気照明、アクセント照明等を提供するよう構成されてもよい。代替的に、照明デバイス１０２は、他の照明デバイスを制御するよう構成されてもよい。照明デバイス１２０は、占有センサ、オーディオセンサ、振動センサ、動きセンサ等であってもよい。
【００２７】
一実施形態において、検出ユニット１０４は、コンテキスト情報としてウェアラブルデバイス１０２の向きを検出するよう構成される。ウェアラブルデバイス１０２の向きは、向きセンサ（ジャイロスコープ、傾きセンサ、磁力計等）により検出されてもよい。向きセンサから受ける情報に基づいて、プロセッサ１０８は、照明デバイス１２０の向きを決定し、照明デバイス１２０が水平、垂直又は対角(diagonal)位置に設置されるかどうかを決定してもよい。これは、プロセッサ１０８がさらに、照明デバイス１２０が天井内／天井上、壁内／壁上又は床内／床上に設置されるかどうかを決定できるようにもするであろう。
【００２８】
一実施形態において、ウェアラブルデバイス１０２の検出ユニット１０４は、コンテキスト情報としてウェアラブルデバイス１０２の動きを検出するよう構成される。ウェアラブルデバイス１０２の動きは、動きセンサ（例えば、加速度センサ）により検出されてもよい。動きセンサから受ける情報に基づいて、プロセッサ１０８は、ウェアラブルデバイス１０２の動きを検出し、該動きに基づいて照明デバイス１２０の設置特性を決定してもよい。動きは、例えば、複数の回転を含む動き（これは、照明デバイス１２０が電球（例えば、Ｐｈｉｌｉｐｓ Ｈｕｅバルブ、レトロフィット電球等）あることを指示することができる）であってもよい。他の例において、動きは、（１）前進運動、（２）終いに急激な減速を伴う４５°の時計方向の回転及び（３）後進運動を含んでもよい。向きセンサから受ける情報と組み合わせて、プロセッサ１０８は、本例において、照明デバイス１２０が管状照明デバイス１２０（例えば、蛍光管ランプ、ＴＬＥＤ等）であると決定してもよい。
【００２９】
一実施形態において、システム１００はさらに、位置決めシステムを有する。位置決めシステムは、例えば、対象物により収集される無線波、磁界、音響信号、（符号化）光信号又は任意の他のセンサ情報に基づいて該対象物のロケーションを決定する屋内位置決めシステムであってもよい。この実施形態において、ウェアラブルデバイス１０２はさらに、位置決めシステムから位置情報を受けるよう構成される。これは、プロセッサ１０８が、照明デバイス１２０の設置中にウェアラブルデバイス１０２のロケーションを決定し、ウェアラブルデバイス１０２のロケーションに基づいて、照明デバイス１２０のロケーションを決定することを可能にする。プロセッサ１０８はさらに、設置特性としてメモリ１１０に照明デバイス１２０のロケーションを格納してもよい。プロセッサ１０８は、受けた位置情報に基づいてウェアラブルデバイス１０２の垂直方向のロケーション（すなわち、高さ）（それと共に、照明デバイス１２０の垂直方向のロケーション）を決定するよう構成されてもよい。
【００３０】
一実施形態において、ウェアラブルデバイス１０２の検出ユニット１０４は、ウェアラブルデバイス１０２の高度を検出するよう構成される。ウェアラブルデバイス１０２の高度は、高度センサ（例えば、（ミリ）大気圧センサ）により検出されてもよい。高度センサから受ける情報に基づいて、プロセッサ１０８は、ウェアラブルデバイス１０２の高度を決定し、高度に基づいて照明デバイス１２０の設置特性を決定してもよい。高度センサからの情報は、他のセンサからの情報、例えば、向きセンサからの情報と組み合わされてもよく、これは、プロセッサ１０８が、照明デバイス１０２の高度及び向きを決定することを可能にする。斯くして、プロセッサ１０８が、例えば、照明デバイス１２０は（ウェアラブルデバイス１０２の高度に基づいて）目の高さに（ウェアラブルデバイス１０２の（水平）向きに基づいて）壁に設置されると決定することを可能にする。他の例において、高度情報は、位置決めシステムからの位置情報と組み合わされてもよい。これは、プロセッサ１０８が、照明デバイス１２０は（ウェアラブルデバイス１０２の高度に基づいて）天井に設定されると決定することを可能にし、プロセッサ１０８はさらに、照明デバイス１２０は、例えば（ウェアラブルデバイス１０２の位置に基づいて）部屋の角に位置すると決定してもよい。
【００３１】
一実施形態において、ウェアラブルデバイス１０２の検出ユニット１０４は、サウンドを検出するよう構成される。サウンドは、オーディオセンサ（例えば、マイクロフォン）により検出されてもよい。オーディオセンサは、照明デバイス１２０から生じするサウンドを検出してもよく、照明デバイス１２０がソケットに物理的に接続される際に生成されるサウンド（例えば、ＲＪ４５コネクタを備えるＰｏＥ照明器具からのクリック音、又はねじ込み／バヨネット継手の固有の音）を検出してもよい。ソケットへの照明デバイス１２０の物理的接続は、ウェアラブルデバイス１０２により検出され得る識別可能なサウンドシグニチャ(sound signature)を生成することができる。これは、プロセッサ１０８が、サウンドシグニチャに基づいて照明デバイス１２０のタイプを認識することを可能にするであろう。
【００３２】
上述した実施形態は、検出ユニット１０４により検出され得る設置特性の例であり、当業者は、光レベル、壁／天井／床からの距離、温度、湿度、時刻、天候状態等多くの代替的な設置特性のタイプを検出するウェアラブルデバイス１０２の多くの代替的な検出ニット１０４の例を設計できるであろうことに留意されたい。
【００３３】
システム１００のレシーバ１０６は、照明デバイス１２０の識別子を受けるよう構成される。レシーバ１０６は、ウェアラブルデバイス１０２又は任意の他のデバイス（例えば、スマートフォン、ハブ、ランプトップ等）に具備されてもよい。識別子は、照明デバイス１２０により生成されるコードを含んでもよく、又はコードは、システム１００のプロセッサ１０８により生成されてもよい。付加的に又は代替的に、識別子は、照明デバイス１２０のタイプについての情報（例えば、照明デバイス１２０はＬＥＤストリップ又はＬＥＤ電球であるとの情報）を含んでもよい。付加的に又は代替的に、識別子は、固有の製品識別子を含んでもよく、及び／又は照明デバイス１２０のシリアル番号を含んでもよい。
【００３４】
一実施形態において、レシーバ１０６は、例えばＷｉ−Ｆｉ又はＢｌｕｅｔｏｏｔｈを介して照明デバイス１２０に接続されるスマートフォンに具備されてもよい。レシーバ１０６は、例えば無線（ラジオ）信号を介して、例えばＷｉ−Ｆｉ、Ｂｌｕｅｔｏｏｔｈ、Ｚｉｇｂｅｅ等を介して照明デバイス１２０から照明デバイス１２０の識別子を受けてもよい。レシーバ１０６はさらに、照明デバイス１２０の識別子をプロセッサ１０８に通信してもよい。プロセッサ１０８も、スマートフォンに具備されてもよい。
【００３５】
一実施形態において、レシーバ１０６は、中間通信デバイス、例えば、ホームオートメーションシステムに具備されてもよい。レシーバ１０６は、電子信号を介して照明デバイス１２０から照明デバイス１２０の識別子を受けてもよい。識別子は、有線接続を介して、例えば電力線通信(power-line communication)を介して受けられてもよい。レシーバ１０６はさらに、照明デバイス１２０の識別子を、該識別子に関連付けられる照明デバイス１２０の設置特性を格納するホームオートメーションシステムのプロセッサ１０８に通信してもよい。
【００３６】
一実施形態において、レシーバ１０６は、ウェアラブルデバイス１０２に具備されてもよい。レシーバ１０６は、例えば、照明デバイス１２０からの符号化光信号を介して照明デバイス１２０からの識別子を受けてもよい。符号化光は、可視光であってもよく、不可視光であってもよい。照明デバイス１２０を設置すると、照明デバイス１２０は、照明デバイス１２０の識別子を含む符号を含む光を発してもよい。レシーバ１０６は、例えば、発光(light emission)を検出し、符号を検出するよう構成される光センサ及び／又はカメラを有してもよい。レシーバ１０６はさらに、照明デバイス１２０の識別子をプロセッサ１０８に通信してもよい。プロセッサ１０８は、ウェアラブルデバイス１０２又は他のデバイスに具備されてもよい。付加的に又は代替的に、レシーバ１０６は、サウンド信号を介して照明デバイス１２０から識別子を受けてもよい。サウンドは、照明デバイス１２０により生成されてもよく、又はサウンドは、照明デバイス１２０がソケットに物理的に接続される際に生成されてもよい。ソケットへの照明デバイス１２０の物理的接続は、レシーバ１０６により検出され得る識別可能なサウンドシグニチャを生成し、これにより、照明デバイス１２０を識別してもよい。
【００３７】
システム１００のプロセッサ１０８は、ウェアラブルデバイス１０２の検出されたコンテキスト情報に基づいて照明デバイス１２０の少なくとも１つの設置特性に基づいて照明デバイスのタイプを決定し、少なくとも１つの設置特性を識別子に関連付けるよう構成される。プロセッサ１０８は、ウェアラブルデバイス１０２に具備されてもよく、プロセッサ１０８は、他のデバイス（例えば、スマートフォン、ハブ、ラップトップ等）に具備されてもよい。プロセッサ１０８は、メモリ１１０に接続され、照明デバイス１２０の設置特性を決定すると及びレシーバ１０６から照明デバイス１２０の識別子を受けると、少なくとも１つの設置特性及び識別子をメモリ１１０に格納する。メモリ１１０は、ウェアラブルデバイス１０２に設けられてもよく、他のデバイス、例えば、ホームオートメーションシステム又は照明デバイス１２０自体に設けられてもよい。ホームオートメーションシステムは、（例えば、ユーザの好み、ユーザの命令又はシステムコマンドに基づいて）例えば雰囲気生成(atmosphere creation)のためシステム１００のコミッショニング情報を用いてもよい。
【００３８】
システム１００の一実施形態において、プロセッサ１０８はさらに、ウェアラブルデバイス１０２のコミッショニングモードをアクティブ及び非アクティブにするよう構成される。コミッショニングモードは、プロセッサ１０８が、ウェアラブルデバイス１０２の検出されたコンテキスト情報に基づいて照明デバイス１２０の少なくとも１つの設置特性を決定するよう設定される動作モードであって、プロセッサ１０８が、少なくとも１つの設置特性を識別子に関連付けるよう設定される動作モードである。コミッショニングモードは、２つの照明デバイス１２０のコミッショニングの間にオフ及びオンがなされてもよく、これにより、システム１００が、照明デバイス１２０を区別することを可能にする。コミッショニングモードは、検出ユニット１０４により検出されるウェアラブルデバイス１０２のコンテキスト情報に基づいてアクティブ及び／又は非アクティブにされてもよい。例えば、コミッショニングモードは、ウェアラブルデバイス１０２の識別可能な動きを検出するとアクティブにされてもよい。動きは、例えば、電球の設置を示す回転運動であってもよい。コミッショニングモードを始動するために用いられてもよい他のトリガは、照明デバイス１２０がソケットに物理的に接続される際に生成されるサウンド信号である。接続は、検出ユニット１０４により検出され得る識別可能なサウンドシグニチャを生成し、その後、プロセッサ１０８が、コミッショニングモードをアクティブにしてもよい。コミッショニングモードは、検出ユニット１０４により検出される異なるコンテキスト情報に基づいて非アクティブにされてもよい。例えば、照明デバイス１２０が天井に設置される場合、ウェアラブルデバイス１０２の高度低下が、人が（例えば、梯子から）降りていて、それゆえ、照明デバイス１２０を設置終えたであろうというインジケータであってもよい。
【００３９】
付加的に又は代替的に、コミッショニングモードは、ユーザ入力に基づいてアクティブ又は非アクティブにされてもよい。システム１００はさらに、ユーザ入力を受けるよう構成されるユーザインタフェースを有してもよい。ユーザインタフェースは、タッチパッド若しくはタッチスクリーン等のタッチ感応デバイス、マイクロフォン等のオーディオセンサ、加速度計等の動きセンサ及び／又はジェスチャを検出するためのジャイロスコープ及び／又はユーザ入力を受けるための１つ以上のボタンを有してもよい。照明デバイス１２０をコミッショニングする人は、例えば、コミッショニングモードのアクティベーションを指示するウェアラブルデバイス１０２による第１の動きを実行する一方、第２の動きの実行が、非アクティベーションを指示してもよい。他の例において、ユーザは、コミッショニングモードをアクティブ／非アクティブにするため音声コマンドを話してもよく、ユーザインタフェースのタッチスクリーンを介してアクティブ／非アクティブにしてもよく、及び／又はコミッショニングモードをアクティブ／非アクティブにするためボタンを押下してもよい。コミッショニングモードのアクティベーション／非アクティベーションのための上述したトリガは例であり、当業者は、コミッショニングモードのアクティベーション／非アクティベーションのための多くの代替的なトリガの例を設計できるであろうことに留意されたい。
【００４０】
図２は、照明デバイス（図示せず）をコミッショニングするための本発明によるウェアラブルデバイス２００の一実施形態を概略的に示す。ウェアラブルデバイス２００は、ウェアラブルデバイス２００のコンテキスト情報を検出するよう構成される検出ユニット２０２を有する。図２は、手首に付けられたウェアラブルデバイス２００を示しているが、ウェアラブルデバイス２００は、照明デバイスを設置するユーザの前腕、頭、首、て、指等に付けられてもよい。付加的に、ウェアラブルデバイス２００はさらに、照明デバイスから識別子を受けるよう構成されるレシーバ２０４を有してもよい。レシーバ２０４は、例えば、ＲＦ信号を受けるためＲＦ(radio frequency)レシーバを有してもよい。ＲＦレシーバは、照明デバイスから識別子を含むＲＦ応答信号を要求するＲＦ信号を送信するよう構成されてもよい。代替的に、ウェアラブルデバイス２００は、ＲＦ信号を送信するよう構成され、照明装置のＲＦＩＤタグにより後方散乱された後送信されたＲＦ信号を受信するよう構成されるＲＦ送受信機を有してもよく、これにより、ウェアラブルデバイス２００は、後方散乱された信号に基づいて照明デバイスを識別することが可能である。付加的に又は代替的に、ウェアラブルデバイス２００は、照明デバイスにより発せられた光を受けるよう構成される光センサ又はカメラを有してもよい。発せられた光は、照明デバイスの識別子を含むコードを有してもよい。コードは、プロセッサにより復号されてもよく、これにより、照明デバイスを識別する。
【００４１】
他の実施形態において、ウェアラブルデバイスのレシーバ２０４はさらに、照明デバイスの近接(proximity)／距離を決定するよう構成される。当業界で知られている種々の近接／距離測定方法が用いられてもよい。距離情報は、例えば、受信信号強度を測定することにより獲得されることができ、ここで、距離は、受信タグから後方散乱するＲＦ信号に基づいて決定される。または、距離情報は、例えば、飛行時間(time-of-flight(TOF))を通じて獲得されることができ、ここで、距離は、ＲＦ信号を送信した時間とＲＦ信号を受信した時間の間の時間に基づいて決定される。ウェアラブルデバイス２００及び照明デバイス間の近接／距離を決定する利点は、プロセッサが、照明デバイスの少なくとも１つの設置特性の決定の正確さを判断できることである。
【００４２】
付加的な又は代替的な実施形態において、ウェアラブルデバイス２００は、ウェアラブルデバイス２００の検出されたコンテキスト情報に基づいて照明デバイスの少なくとも１つの設置特性を決定し、少なくとも１つの設置特性を識別子に関連付けるよう構成されるプロセッサ２０６を有してもよい。付加的に又は代替的に、ウェアラブルデバイス２００はさらに、少なくとも１つの設置特性及び識別子を格納するよう構成されるメモリ２０８を有してもよい。多くのコンシューマウェアラブルデバイスは、処理手段、通信手段、検出手段及び／又はメモリを既に備えている。これは、システムの異なる構成要素間の通信リンクを創出する努力を減らすことができるため有利であろう。
【００４３】
図３は、電球タイプの照明デバイス３０４をコミッショニングするための本発明による手首に付けられたウェアラブルデバイス３００の一実施形態を概略的に示す。検出ユニット３０２は、ウェアラブルデバイス３００の向き３０６及び動き３０８を検出する。プロセッサ（図示せず）は、ウェアラブルデバイス３００の向き３０６から照明デバイス３０４の向き３０６'を導出し、ウェアラブルデバイス３００の向き３０６は、照明デバイス３０４を設置する（ねじ込む）際に変化しないと決定してもよい。さらに、プロセッサ（図示せず）は、ウェアラブルデバイス３００の回転運動３０８から照明デバイス３０４の動き３０８'を導出してもよい。プロセッサはさらに、ウェアラブルデバイス３００の回転運動３０８（それと共に、照明デバイス３０４の動き３０８'）及び変化しない向き３０６、３０６'を用いて、照明デバイス３０４のタイプはねじ込み可能照明デバイスであると決定してもよい。
【００４４】
図４は、管タイプの照明デバイス４０４をコミッショニングするための本発明による指に付けられたウェアラブルデバイス４００の一実施形態を概略的に示す。検出ユニット４０２は、ウェアラブルデバイス４００の向き４０６及び動き４０６を検出する。照明デバイス４０４の設置時、ウェアラブルデバイス４００の向き４０６は、照明デバイスを設置する際に変化する。ウェアラブルデバイス４００の向き４０６の変化及び半回転は、プロセッサ（図示せず）が、照明デバイス４０４は、管タイプの照明デバイス４０４、例えば、蛍光管又はＴＬＥＤであると決定するのに十分な情報を提供することができる。
【００４５】
図５は、ウェアラブルデバイス５０２により照明デバイス５０４、５０６をコミッショニングするための本発明によるシステム５００の一実施形態を概略的に示す。システム５００はさらに、位置決めシステム５０８ａ〜ｄを有する。図５は、どのようにして（ウェアラブルデバイス５０２、ホームオートメーションシステム５１０又は任意の他のデバイスに位置してもよい）プロセッサが、ウェアラブルコミッショニングデバイス５０２により検出されるコンテキスト情報に基づいて設置特性を決定できるかを図示する。この実施形態において、位置決めシステム５０８ａ〜ｄは、ウェアラブルデバイス５０２と通信する部屋中に分散された複数のＲＦビーコン５０８ａ〜ｄを有し、ＲＦ信号の飛行時間に基づいて、位置決めシステムは、ウェアラブルデバイス５０２のロケーションを決定するため三角法(triangulation)を用いる。この実施形態において、ロケーション、高度及び向きは、検出ユニット（図示せず）により検出される。図５の第１の照明デバイス５０４の設置特性は、照明デバイス５０４が、（ウェアラブルデバイス５０２の高度センサからの高度及びウェアラブルデバイス５０２の方位センサからの向きに基づいて）天井に位置することを指示し、照明デバイス５０４が、（ビーコン５０８ａ〜ｄからの位置情報に基づいて）部屋の中央に位置することを指示する。第２の照明デバイス５０６の設置特性は、照明デバイス５０６が、（ウェアラブルデバイス５０２の高度センサからの高度及びウェアラブルデバイス５０２の方位センサからの向きに基づいて）壁内／壁上に位置することを指示し、照明デバイス５０６が、（ビーコン５０８ａ〜ｄからの位置情報に基づいて）部屋の側部に位置することを指示する。各照明デバイス５０４、５０６のコミッショニングが完了すると、第１の照明デバイス５０４及び第２の照明デバイス５０６の設置特性は、例えば、ウェアラブルデバイス５０２、ホームオートメーションシステム５１０（例えば、照明デバイスを制御するよう構成されるＰＣ）又は照明デバイス５０４、５０６に位置するメモリに格納されてもよく、その後、第１の照明デバイス５０４及び第２の照明デバイス５０６は、制御される準備が整う。
【００４６】
図６は、照明デバイス１２０を設置する際にウェアラブルデバイス１０２により照明デバイス１２０をコミッショニングする方法６００を概略的且つ例示的に示す。当該方法は、
−  照明デバイス１２０の識別子を受けるステップ６０２、
−  ウェアラブルデバイス１０２のコンテキスト情報を検出するステップ６０４であって、コンテキスト情報は、ウェアラブルデバイス１０２の向き及び／又は動きを示す、ステップ６０４、
−  ウェアラブルデバイス１０２の検出されたコンテキスト情報に基づいて照明デバイス１２０の少なくとも１つの設置特性を決定するステップ６０６、
−  少なくとも１つの設置特性を識別子に関連付けるステップ６０８、及び
−  少なくとも１つの設置特性及び識別子を格納するステップ６１０、
を含む。照明デバイス１２０の識別子を受けるステップ６０２及びウェアラブルデバイス１０２のコンテキスト情報を検出するステップ６０４は、交換可能であり、これらのステップが行われる順番は、特定の実施形態に依存してもよい。例えば、電球を設置することは、ウェアラブルデバイス１０２の検出ユニット１０４が、電球が電力供給を受け、その識別子を送信する前に、回転運動を検出することを必要としてもよい。第２の例において、照明デバイス１２０は、ＲＦ識別タグを含んでもよい。ＲＦ識別タグは、照明デバイス１２０が設置される前にウェアラブルデバイス１０２の検出ユニット１０４により検出されてもよい。
【００４７】
方法６００の一実施形態において、方法６００はさらに、第１の照明デバイス及び第２の照明デバイスが類似の設置特性を持つ場合第１の照明デバイスを第２の照明デバイスとグループ化するステップを含む。これは、例えば、天井の照明デバイス、又は互いに近くに位置する照明デバイスをグループ化することを可能にする。例えば、占有センサは、その付近の照明器具とグループ化されてもよい。この実施形態はさらに、（超音波モーションディテクタ等の）検知照明デバイス(sensing lighting device)が、（電球等の）光を発する照明デバイスとグループ化され得る利点を提供する。さらに、同じ部屋の中の全ての照明デバイスが、コミッショニング後これら全ての照明デバイスを一斉に制御するためグループ化されてもよい。
【００４８】
上述した実施形態は、本発明を限定するものではなく、むしろ例示するものであり、当業者は、添付請求項の範囲を逸脱することなく多くの代替的な実施形態を設計できるであろうことに留意されたい。
【００４９】
請求項の如何なる参照符号も、該請求項を制限するものと見なされるべきでない。有する"という動詞の使用は、請求項に述べられたもの以外の要素又はステップの存在を除外するものではない。単数表記は複数の斯かる要素の存在を除外するものではない。本発明は、いくつかの個別素子を有するハードウェアにより、及び適宜にプログラムされたコンピュータ又は処理ユニットにより実現され得る。いくつかの手段を列挙する装置請求項において、これら手段のうちのいくつかは、ハードウェアの同一のアイテムにより具現化され得る。特定の手段が相互に異なる従属請求項に記載されるという単なる事実は、これらの手段の組み合わせが有効に用いられ得ないことを示すものではない。
【図１】
0006688314.tif 000002
【図２】
0006688314.tif 000003
【図３】
0006688314.tif 000004
【図４】
0006688314.tif 000005
【図５】
0006688314.tif 000006
【図６】
0006688314.tif 000007